(57)【特許請求の範囲】
【請求項１】
本体とこの本体の前面に備えられた銘板部とから構成され、前記本体が室内の壁面に内蔵されたスイッチボックスに固定される空気調和機のリモートコントローラの受信部において、前記本体の前面の凹部には、前記スイッチボックスへの固定用の複数の穴と、前記空気調和機のサービス用のスイッチと、ワイヤレスリモートコントローラの受光素子とが設けられ、前記銘板部は、前記本体の凹部を覆い当該凹部の両端に設けられた複数の穴に、前記銘板部の両端に設けられた複数の爪により嵌合／固定されることを特徴とする空気調和機のリモートコントローラの受信部。
【請求項２】
前記凹部は、その長手方向の底面が凸曲面であることを特徴とする請求項１記載の空気調和機のリモートコントローラの受信部。
【請求項３】
前記銘板部の一端の爪は略Ｌ字状でその先端が外側に曲がり当該爪に相対する前記凹部の穴はその外側がスリット状に延長し、前記銘板部を反らせながら前記爪の略Ｌ字状の先端を前記穴のスリット状の部分に挿入し、当該銘板部の他端の爪を当該爪に相対する前記凹部の穴に挿入して、前記銘板部を前記本体に固定することを特徴とする請求項１記載の空気調和機のリモートコントローラの受信部。
【発明の詳細な説明】
【０００１】
【発明の属する技術分野】
この発明は、壁面に取り付けて空気調和機の遠隔操作を行うリモートコントローラの受信部に関する。
【０００２】
【従来の技術】
従来より、空気調和機の遠隔操作用リモートコントローラ（以下、リモコンという。）は壁面に取り付けられて使用するものが普及している。
【０００３】
この種の従来のリモコンとして、例えば、特開平６−３１１５７２号公報に記載のリモコンが提案されていた。
【０００４】
従来、リモコンを壁面に固定する方法はリモコンの後ケース部をスイッチボックスに固定し、この後ケース部にリモコンの本体を嵌合して固定するのが一般的であった。
【０００５】
【発明が解決しようとする課題】
このため、従来のリモコンは、施工時に後ケース部を外して固定する為工数が多く、配線も手間が多かった。
【０００６】
そこで施工作業の手間を省きたいと言う要望が強くなっていた。
【０００７】
そこで、本発明は、上述の点に考慮して、施工作業の容易なリモートコントローラの受信部を提供することを目的とする。
【０００８】
【課題を解決するための手段】
上記課題を解決するため、請求項１にかかる発明は、本体とこの本体の前面に備えられた銘板部とから構成され、前記本体が室内の壁面に内蔵されたスイッチボックスに固定される空気調和機のリモートコントローラの受信部において、前記本体の前面の凹部には、前記スイッチボックスへの固定用の複数の穴と、前記空気調和機のサービス用のスイッチと、ワイヤレスリモートコントローラの受光素子とが設けられ、前記銘板部は、前記本体の凹部を覆い当該凹部の両端に設けられた複数の穴に、前記銘板部の両端に設けられた複数の爪により嵌合／固定されることを特徴とする。
【０００９】
請求項２にかかる発明は、凹部は、その長手方向が凸曲面であることを特徴とする。
【００１０】
請求項３にかかる発明は、前記銘板部の一端の爪は略Ｌ字状でその先端が外側に曲がり当該爪に相対する前記凹部の穴はその外側がスリット状に延長し、前記銘板部を反らせながら前記爪の略Ｌ字状の先端を前記穴のスリット状の部分に挿入し、当該銘板部の他端の爪を当該爪に相対する前記凹部の穴に挿入して、前記銘板部を前記本体に固定することを特徴とする。
【００１３】
【発明の実施の形態】
本発明の実施例を図１乃至図３を参照して説明する。
【００１４】
図１は、本発明の実施例を示す空気調和機のリモートコントローラの正面の銘板部を外した説明図である。
【００１５】
図２は、本発明の実施例を示す空気調和機のリモートコントローラのＡ−Ａ断面の説明図である。
【００１６】
図３は、本発明の実施例を示す空気調和機のリモートコントローラの銘板部の正面図である。
【００１７】
空気調和機（図示せず）は、壁面又は天井面に取り付けられ、本発明の実施例を示すリモートコントローラによってその運転が制御される。
【００１８】
図２に示すように、本発明の実施例の空気調和機のリモートコントローラは、本体１とこの本体１の前面に備えられた銘板部９とで構成されている。
【００１９】
本体１は、前ケース部２Ａと後ケース部２Ｂと基板部３とを備えている。
【００２０】
前ケース部２Ａは、その前面に銘板部９が嵌合する深さ数ミリの略長方形の凹部５が設けられている。この凹部５には、その長手方向の両端に銘板部９を固定するための複数の穴５Ａ，５Ｂが設けられている。
【００２１】
又、この凹部５には、その長手方向の両端に本実施例のリモートコントローラをスイッチボックス５０にビス５１で固定するための複数の凹座付きの長穴５Ｃが設けられている。この長穴５Ｃは前ケース部２Ａと後ケース部２Ｂとを合わせ且つ、前ケース部２Ａには凹座が構成されているので，従来の後ケース部２Ｂのみで固定されるよりも剛性が増しスイッチボックス５０に強固に固定できる。
【００２２】
更に、この凹部の底部の周囲は、図２に示すように、その長手方向が約１０００Ｒの凸曲面５Ｌで構成され、銘板部９が固定されたときに凸曲面５Ｌの円弧に強制されて曲げられることにより、本実施例のリモートコントローラ１が天井面に固定される場合にも銘板部９が弛まずに固定される。
【００２３】
又、この凹部５には、基板部３に設けられた操作用のタクトスイッチ３Ａのノブ５Ｄと表示用のＬＥＤ３Ｂの穴５Ｅとサービス用のコネクタ３Ｃの穴５Ｆとサービス用のデップスイッチ３Ｄの穴５Ｇとワイヤレスリモコン（図示せず）の受光素子３Ｅの穴５Ｈが設けられている。
【００２４】
銘板部９は、図３に示すように、略矩形の透明樹脂製板（例えばポリカーボネート）でその両端に設けられた複数の爪９Ａ，９Ｂにより前ケース部２Ａの凹部５の複数の穴５Ａ，５Ｂに嵌合／固定される。
【００２５】
爪９Ａは、略Ｌ字状でその先端が外側に曲がっている。この爪９Ａに相対する前ケース部２Ａの凹部５の穴５Ａは、図１に示すように、その外側がスリット状に延長されている。
【００２６】
爪９Ｂは、略長方形状である。この爪９Ｂに相対する前ケース部２Ａの凹部５の穴５Ｂは、図１に示すように、略長方形状である。
【００２７】
銘板部９の凹部５への嵌合方法は、銘板部９の爪９Ａ側を反らせながら爪９Ａの略Ｌ字状の先端部を凹部５の穴５Ａのスリット状の部分に挿入し、銘板部９の爪９Ｂを凹部５の穴５Ｂに挿入すればよい。
【００２８】
銘板部９の脱着方法は、銘板部９の爪９Ｂは銘板部９の穴５Ｂの近傍の切欠き９Ｃをマイナスドライバ等で起こすと容易に外れるが、銘板部９の爪９Ａは一旦凹部５の穴５Ａに嵌合されると銘板部９を反らして外さないと外れない構成となっている。
【００２９】
このため、サービス時に銘板部９の爪９Ｂを外して銘板部９を爪９Ａによる固定のみとすることにより（図２の２点鎖線）、凹部５に設けられたスイッチ類へのサービスが可能となり銘板部９を外してなくす心配が無い。
【００３０】
銘板部９のワイヤレスリモコンの受光素子３Ｅの前面は、赤外線選択透過性のインクで印刷されており、受光素子３Ｅの受信感度の向上を図っている。
【００３１】
銘板部９の表示用のＬＥＤ３Ｂの前面は、円形の無印刷部分で構成されており、ＬＥＤ３Ｂの発光を際だたせている。
【００３２】
次にワイヤレスリモコン（図示せず）について説明する。
ユーザーは本リモートコントローラと別に手元で空気調和機を操作したいときには別にワイヤレスリモコンを購入して使用することができる。
【００３３】
なお、本発明は上述した実施例に限定されず、本発明の要旨を逸脱しない範囲で種々変形可能である。
【００３４】
【発明の効果】
以上説明したように、本発明によれば、本体の前面の凹部には、スイッチボックスへの固定用の複数の穴と、空気調和機のサービス用のスイッチと、ワイヤレスリモートコントローラの受光素子とが設けられ、銘板部は、本体の凹部を覆い当該凹部の両端に設けられた複数の穴に、銘板部の両端に設けられた複数の爪により嵌合／固定されるため、施工作業の容易なリモートコントローラの受信部を提供できる。
【図面の簡単な説明】
【図１】本発明の実施例を示す空気調和機のリモートコントローラの正面の銘板部を外した説明図である。
【図２】本発明の実施例を示す空気調和機のリモートコントローラのＡ−Ａ断面の説明図である。
【図３】本発明の実施例を示す空気調和機のリモートコントローラの銘板部の正面図である。
【符号の説明】
１    本体１
２Ａ  前ケース部
２Ｂ  後ケース部
３    基板
５    凹部
５Ａ，５Ｂ，５Ｃ  穴
５Ｌ  凸曲面
９    銘板部
９Ａ，９Ｂ  爪
５０  スイッチボックス
【図１】
0003851065.tif 000002
【図２】
0003851065.tif 000003
【図３】
0003851065.tif 000004